(57)【要約】【課題】外観を損ねることなく、ルーフモールをルーフ溝に取付けることが可能なルーフモールの取付構造体を提供する。【解決手段】  本発明により提供されるルーフモールの取付構造体１は、ルーフ溝９０には底面９２にブラケット３０が設けられ、ルーフモール１０の受入部１８をブラケット３０の突出片３８に嵌合させるとともに、蓋部材２０のカバー部２２の長手方向の端部でルーフモール１０の頭部１２の長手方向の端部を覆いつつ、蓋部材２０とブラケット３０とを係合させることで、ルーフモール１０が、当該端部においてブラケット３０と蓋部材２０とで挟持された状態で、ルーフ溝９０に取付けられている。【選択図】図４
2014058214.tif 000002
【特許請求の範囲】
【請求項１】
車体のルーフに設けられたルーフ溝に装着される車両用ルーフモールの取付構造体であって、
前記ルーフ溝には底面にブラケットが設けられ、前記ブラケットには蓋部材が係合されており、
前記ブラケットは、
基部と、突出片とを有し、
前記基部には、
前記ルーフ溝の底面に固定される固定部と、
前記蓋部材と係合される係合部と、
が備えられ、
前記突出片は、前記基部の長手方向の端部において前記ルーフ溝の底面から離れる方向に突出されており、
前記蓋部材は、
前記ルーフ溝を覆うカバー部と、
前記カバー部の裏面側から突出し、前記ブラケットの係合部と係合する係合受部と、
が備えられ、
前記ルーフモールは、
前記ルーフ溝を覆う頭部と、
前記頭部の裏面側から突出した脚部と、
前記脚部下端の幅方向側面の少なくとも一方から前記ルーフ溝の側壁部に向けて突出される突出部と、
前記脚部の下端および前記突出部のうちの少なくとも一部分に設けられる受入部と、
が備えられ、
前記ルーフモールの受入部を前記ブラケットの突出片に嵌合させるとともに、
前記蓋部材のカバー部の長手方向の端部で前記ルーフモールの頭部の長手方向の端部を覆いつつ、前記蓋部材と前記ブラケットとを係合させることで、
前記ルーフモールが、当該端部において前記ブラケットと前記蓋部材とで挟持された状態で、前記ルーフ溝に取付けられていることを特徴とする、ルーフモールの取付構造体。
【請求項２】
前記ルーフモールは、前記蓋部材のカバー部で覆われる部分よりも該ルーフモールの長手方向中央側に受入部が設けられており、
前記蓋部材のカバー部の長手方向の端部よりも該ルーフモールの長手方向の中央側で、前記ルーフモールの受入部と前記ブラケットの突出片とが嵌合されている、請求項１記載のルーフモールの取付構造体。
【請求項３】
前記突出片は、前記ルーフ溝の底面に対して略垂直な方向に突出されていることを特徴とする、請求項１または２に記載のルーフモールの取付構造体。
【請求項４】
前記ルーフ溝に沿って複数のルーフモールが装着されており、そのうちの少なくとも一つのルーフモールの少なくとも一方の長手方向の端部において、請求項１〜３のいずれか１項に記載の取付構造体が形成されていることを特徴とする、ルーフモールの取付構造体。
【請求項５】
前記ブラケットは、前記基部の長手方向の両方の端部に前記突出片を有し、
前記ブラケットの長手方向の一方の側には第１のルーフモールが、他方の側には第２のルーフモールがそれぞれ配置されており、
前記ブラケットの一方の突出片に前記第１のルーフモールの受入部が、他方の突出片に前記第２のルーフモールの受入部がそれぞれ嵌合されているとともに、
前記第１および第２のルーフモールの隣り合う長手方向の端部が、前記ブラケットおよび一つの前記蓋部材で挟持されることで、
一つの前記ブラケットと一つの前記蓋部材の長手方向の両方の端部において、請求項１〜４のいずれか１項に記載の取付構造体が形成されていることを特徴とする、ルーフモールの取付構造体。
【請求項６】
前記ルーフモールの長手方向の両方の端部において、前記取付構造体が形成されていることを特徴とする、請求項４または５に記載のルーフモールの取付構造体。
【請求項７】
前記受入部は、前記突出部の先端から前記脚部下端に向かって形成された凹形状の切欠きであることを特徴とする、請求項１〜６のいずれか１項に記載のルーフモールの取付構造体。
【請求項８】
前記受入部は、前記突出部に形成された貫通穴であることを特徴とする、請求項１〜６のいずれか１項に記載のルーフモールの取付構造体。
【請求項９】
前記受入部は、前記脚部の下端に設けられる凹部である、請求項１〜６のいずれか１項に記載のルーフモールの取付構造体。
【請求項１０】
請求項１〜９のいずれか１項に記載の取付構造体を構築するためのルーフモール。
【請求項１１】
請求項１〜９のいずれか１項に記載の取付構造体を構築するためのブラケット。
【請求項１２】
請求項１〜９のいずれか１項に記載の取付構造体を構築するための蓋部材。
【発明の詳細な説明】
【技術分野】
【０００１】
本発明は、車体のルーフに設けられたルーフ溝に装着される車両用ルーフモールの取付構造体に関する。
【背景技術】
【０００２】
従来より、自動車等の車体のルーフには、ルーフパネルとサイドボディパネルとの接合部に車体の前後に亘って延びるルーフ溝を形成し、かかるルーフ溝にルーフモールを装着している。
この種のルーフモールの取付構造体の一つとして、ルーフモールをルーフ溝に装着するとともに、ルーフモールの端部にエンドキャップを取付け、このエンドキャップを介してルーフモールの端部をルーフ溝に固定している取付構造体が知られている。
【０００３】
例えば、特許文献１に開示される取付構造体では、エンドキャップをキャップロアとキャップアッパの２部材により構成している。そしてルーフモールをルーフ溝に嵌合した後、キャップロアをルーフモールの端部に挿入するとともにルーフ溝に固定させ、キャップアッパの爪が該ルーフモールの端部に設けた切欠きに係るようにキャップアッパをキャップロアに係合させることで、ルーフ溝とルーフモールの端部との固定を実現している。かかる構成によると、キャップアッパによりルーフモールの切欠きが隠されるため、外観を損ねることなく、ルーフモールの端部を固定することが可能となる。
【先行技術文献】
【特許文献】
【０００４】
【特許文献１】特許第２８１２７６６号
【発明の概要】
【発明が解決しようとする課題】
【０００５】
ところで、車両の使用状況に応じてルーフモールには以下の事象が生じることが明らかとなっている。
（１）高速走行時には車体のルーフ表面近傍に負圧が発生する。そのため、車体の前後方向（以下、「長手方向」と称する場合もある。）に沿って装着されるルーフモールに対しては、ルーフ溝から吸い出される（浮き上がる）方向に応力が作用する。
（２）使用環境の影響等により車体のルーフ温度は大きく変化する。そのため、かかる温度変化によりルーフモールが伸縮し、ルーフモールの端部の固定部では長手方向に引張あるいは圧縮の応力が発生する。
【０００６】
これに対し、特許文献１に開示された取付構造体によると、次の不具合が生じる恐れのあることが明らかとなった。
すなわち、ルーフモールは一般的にルーフ溝での係止効果を得るために樹脂またはゴム等の弾性材料で形成されている。そのため、ルーフモールの端部に上記切欠きを設けることで、ルーフモールの切欠きから末端までの部分（以下、かかる部分を「規制部分」と称する。）の剛性は低下してしまう。そのため、この規制部分に上記の事象による応力が繰り返し加わると、規制部分が塑性変形を起こしたり、破損したりする恐れがあった。また、規制部分が塑性変形あるいは破損した状態では、ルーフモールに引き続き上記の事象が生じた場合にエンドキャップとルーフモールの係合が外れ、ルーフモールがルーフ溝内で前後に移動したり、特に高速走行時にはルーフモールがルーフ溝から吸い出されて抜け落ちるといった問題があった。
【０００７】
一方で、ルーフモールの規制部分の剛性を確保するために、ルーフモールの末端から離れた位置に切欠きを設けることもできる。しかしながら、このように切欠きをルーフモールの末端から離れた位置に設けると、かかる切欠き位置でキャップロアとキャップアッパとを係合することとなり、エンドキャップ自体を大きくする必要があった。すると、ルーフモールの端部においてエンドキャップの占める面積が過度に広くなり、ルーフモールの取付状態における外観が損なわれてしまう。
【０００８】
そこで本発明は、上述した従来の課題を解決すべく創出されたものであり、外観を損ねることなく、ルーフモールをルーフ溝に取付けることが可能なルーフモールの取付構造体を提供することを目的としている。
【課題を解決するための手段】
【０００９】
上記課題を解決すべく、本発明によって以下の構成のルーフモールの取付構造体が提供される。
即ち、請求項１の発明は、車体のルーフに設けられたルーフ溝に装着される車両用ルーフモールの取付構造体である。かかる取付構造体において、上記ルーフ溝には底面にブラケットが設けられ、上記ブラケットには蓋部材が係合されている。
ここで、上記ブラケットは、基部と、突出片とを有し、上記基部には、上記ルーフ溝の底面に固定される固定部と、上記蓋部材と係合される係合部と、が備えられ、上記突出片は、上記基部の長手方向の端部において上記ルーフ溝の底面から離れる方向に突出されている。
上記蓋部材は、上記ルーフ溝を覆うカバー部と、上記カバー部の裏面側から突出し、上記ブラケットの係合部と係合する係合受部と、が備えられている。
上記ルーフモールは、上記ルーフ溝を覆う頭部と、上記頭部の裏面側から突出した脚部と、上記脚部下端の幅方向側面の少なくとも一方から上記ルーフ溝の側壁部に向けて突出される突出部と、上記脚部の下端および上記突出部のうちの少なくとも一部分に設けられる受入部と、が備えられている。
そして、かかる取付構造体は、上記ルーフモールの受入部を上記ブラケットの突出片に嵌合させるとともに、上記蓋部材のカバー部の長手方向の端部で上記ルーフモールの頭部の長手方向の端部を覆いつつ、上記蓋部材と上記ブラケットと係合させることで、上記ルーフモールが、当該端部において上記ブラケットと上記蓋部材とで挟持された状態で、上記ルーフ溝に取付けられていることを特徴としている。
【００１０】
以上の構成によると、ルーフモールの受入部をブラケットの突出片に嵌合させた状態で、ブラケットと蓋部材とでルーフモール端部を挟持しているため、ルーフモールの浮き上がりとルーフ溝の前後方向に沿ったルーフモール端部の移動とを防止することができる。
なお、上記のルーフモールの受入部とブラケットの突出片との嵌合部位は、ルーフモールの頭部に覆われるため、例えば蓋部材を大きく形成して上記嵌合部位を隠す必要がない。また、上記のとおり、ブラケットと蓋部材とによるルーフモールの挟持と、ルーフモールの受入部とブラケットの突出片との嵌合とを、各々独立して構築することができるため、上記の挟持および嵌合の形態や位置を、各々に適した設計とすることが可能となる。その結果、上記の受入部を、ルーフモールの受入部から末端までの部分（すなわち、上記「規制部分」に相当する。以下、かかる部分についても「規制部分」と称する場合がある。）が所望の剛性を確保し得る位置に配設することができ、規制部分が塑性変形を起こしたり、破損したりすることを防止できる。
したがって、かかる構成によると、ルーフモールの受入部とブラケットの突出片との嵌合部位に合わせて蓋部材を大きくする必要がないため外観を損なうことがなく、車両の使用状況に因ってルーフモールがルーフ溝から外れることを防止することができる。
【００１１】
請求項２の発明は、請求項１のルーフモールの取付構造体において、上記ルーフモールは、上記蓋部材のカバー部で覆われる部分よりも該ルーフモールの長手方向中央側に受入部が設けられている。そして、上記蓋部材のカバー部の長手方向の端部よりも該ルーフモールの長手方向の中央側で、上記ルーフモールの受入部と上記ブラケットの突出片とが嵌合されていることを特徴としている。
かかる構成によると、規制部分はルーフモールが蓋部材で覆われる長さよりも長く形成されることとなり、当該規制部分に十分な剛性を備えることができる。したがって、例えば、車両の長期の使用に際してもルーフモールの取付け状態を維持することが可能なルーフモールの取付構造体が実現される。
【００１２】
請求項３の発明は、請求項１または２のルーフモールの取付構造体において、上記突出片は、上記ルーフ溝の底面に対して略垂直な方向に突出されていることを特徴としている。
かかる構成によると、受入部を突出片に容易に嵌め合わせることができ、かつ、抜け難いルーフモールの取付構造体が提供される。
【００１３】
請求項４の発明は、上記ルーフ溝に沿って複数のルーフモールが装着されており、そのうちの少なくとも一つのルーフモールの少なくとも一方の長手方向の端部において、請求項１〜３のうちのいずれかのルーフモールの取付構造体が形成されていることを特徴としている。
ルーフモールをルーフ溝に取付ける構造としては、ここに開示されるルーフモールの取付構造体によるものの他に、一例として、エンドキャップを使用せず、例えば、クリップを使用する取付構造などが知られている。このクリップを使用した取付構造は、ルーフモールの端部にルーフモールとクリップとを嵌合させるための形状を射出成形で形成する必要がある。そのため、ルーフモールの製造コストが嵩み、ルーフ溝に沿って複数のルーフモールが装着される場合に全てのルーフモール端部をこのクリップによる取付構造にて取付けることは、大幅なコストの増大に繋がってしまう。
これに対し、本発明のルーフモールの取付構造体では、ルーフモールの加工が比較的簡単なため、ルーフモールの製造コストを抑えることができる。したがって、かかる構成によると、ルーフ溝へのルーフモールの取付けを低コストで実現することが可能となる。
【００１４】
請求項５の発明は、上記ブラケットは、上記基部の長手方向の両方の端部に上記突出片を有し、上記ブラケットの長手方向の一方の側には第１のルーフモールが、他方の側には第２のルーフモールがそれぞれ配置されており、上記ブラケットの一方の突出片に上記第１のルーフモールの受入部が、他方の突出片に上記第２のルーフモールの受入部がそれぞれ嵌合されているとともに、上記第１および第２のルーフモールの隣り合う長手方向の端部が、上記ブラケットおよび一つの上記蓋部材で挟持されることで、一つの上記ブラケットと一つの上記蓋部材の長手方向の両方の端部において、請求項１〜４のいずれかの取付構造体が形成されていることを特徴としている。
かかる構成によると、ルーフ溝に沿って複数のルーフモールが装着されている場合に、隣り合う二つのルーフモールの端部を一つのブラケットと一つの蓋部材とで挟持しているため、ブラケットと蓋部材の部品点数を減らすことができ、ルーフ溝へのルーフモールの取付けをさらに低コストで実現することができる。
【００１５】
請求項６の発明は、請求項４または５のルーフモールの取付構造体において、上記ルーフモールの長手方向の両方の端部において、上記取付構造体が形成されていることを特徴としている。
かかる構成によると、ルーフモールの長手方向の両方の端部に上記ルーフモールの取付構造体が形成されるため、ルーフ溝へのルーフモールの取付けをより低コストで実現することが可能となる。
【００１６】
請求項７の発明は、請求項１〜６のうちのいずれかのルーフモールの取付構造体において、上記受入部は、上記突出部の先端から上記脚部下端に向かって形成された凹形状の切欠きであることを特徴としている。
かかる構成によると、受入部が突出部の先端で解放されているため、突出片と受入部との嵌め合わせを容易に行うことができる。
【００１７】
請求項８の発明は、請求項１〜６のうちのいずれかのルーフモールの取付構造体において、上記受入部は、上記突出部に形成された貫通穴であることを特徴としている。
かかる構成によると、受入部が閉じた形態であるため、受入部を突出片からより外れ難くすることができる。
【００１８】
請求項９の発明は、請求項１〜８のうちのいずれかのルーフモールの取付構造体において、上記受入部は、上記脚部の下端に設けられる凹部であることを特徴としている。
かかる構成によると、ルーフモールの頭部を受入部が貫通していないため、ルーフモールの外観を損ねることなく突出片の嵌め合わせを容易に行うことができる。
【００１９】
請求項１０の発明は、請求項１〜９うちのいずれかの取付構造体を構築するためのルーフモールである。
かかるルーフモールによると、外観を損ねることなく、ルーフモールをルーフ溝に取付けることが可能な上記ルーフモールの取付構造体を好適に構築することができる。
【００２０】
請求項１１の発明は、請求項１〜９うちのいずれかの取付構造体を構築するためのブラケットである。
かかるブラケットによると、外観を損ねることなく、ルーフモールをルーフ溝に取付けることが可能な上記ルーフモールの取付構造体を好適に構築することができる。
【００２１】
請求項１２の発明は、請求項１〜９うちのいずれかの取付構造体を構築するための蓋部材である。
かかる蓋部材によると、外観を損ねることなく、ルーフモールをルーフ溝に取付けることが可能な上記ルーフモールの取付構造体を好適に構築することができる。
【図面の簡単な説明】
【００２２】
【図１】本発明の一実施形態に係るルーフモール取付構造体が構築された自動車を模式的に示す要部斜視図である。
【図２】本発明の一実施形態に係るルーフモール取付構造体を説明する要部分解斜視図である。
【図３】本発明の一実施形態に係るルーフモール取付構造体を説明する要部斜視図である。
【図４】図３のＩＶ−ＩＶ線端面図であり、本発明の一実施形態に係るルーフモール取付構造体を説明する断面図である。
【図５】図４のＶ−Ｖ線切断部端面図である。
【図６】図４のＶＩ−ＶＩ線切断部端面図である。
【図７】ルーフモール取付構造体におけるルーフモールとブラケットとの他の嵌合形態を説明する要部分解斜視図である。
【図８】ルーフモール取付構造体におけるルーフモールとブラケットとの他の嵌合形態を説明する要部分解斜視図である。
【発明を実施するための形態】
【００２３】
以下、適宜図面を参照しつつ、本発明に係るルーフモール取付構造体について、好適な実施形態を基に詳細に説明する。本実施形態は、車体のルーフに設けられたルーフ溝に装着される車両用ルーフモールの取付構造体に関するものである。なお、本明細書において特に言及している事項以外の事柄であって本発明の実施に必要な事柄（例えば、ルーフモール取付構造体を構成する構成要素の素材、製造方法等に関する一般的な事項）は、当該分野における従来技術に基づく当業者の設計事項として把握され得る。そして、以下の図面において、同じ作用を奏する部材・部位には同じ符号を付して説明し、重複する説明は省略または簡略化することがある。
また、本明細書において、車両の幅方向中心側を単に「幅方向内側」、車両の幅方向外側を単に「幅方向外側」という場合がある。
【００２４】
図１は、ルーフモール１０が、車両（ここでは自動車）１００のルーフに形成されたルーフ溝９０（図２〜４参照）に装着されている様子を模式的に示している。ルーフモール１０は、車両１００のルーフを構成するルーフパネル９６と、車両１００の左右両側面部を構成するサイドボディパネル９８との接合部を覆い隠し、車両１００の美観を保つために装着される部材である。ルーフ溝９０は、このルーフモール１０を車両１００に装着するために設けられる取付溝であって、ルーフパネル９６とサイドボディパネル９８との接合部に長手方向に延びる断面形状が略コの字状の溝が、車両１００の幅方向の左側に一つ、右側に一つ形成されている。そしてこの図１の例では、車両の幅方向右側のルーフ溝９０に、長尺のルーフモール１０Ａ，１０Ｂ，１０Ｃが車両の長手方向の前方から順に装着されており、これらのルーフモール１０Ａ，１０Ｂ，１０Ｃの間には蓋部材２０Ｘ，２０Ｙがそれぞれ配置されている。
【００２５】
本発明に係るルーフモール取付構造体の構成を、ルーフモール１０Ａの長手方向後方の端部側に構築された取付構造体１を例に説明する。以下、特にことわりの無い限り、ルーフモール１０Ａを単にルーフモール１０として説明を行う。また蓋部材２０Ｘについても同様に、特にことわりの無い限り、単に蓋部材２０として説明を行う。
【００２６】
本発明に係るルーフモール取付構造体１は、図２〜図４に例示されるように、本質的には、ルーフモール１０、蓋部材２０およびブラケット３０により構成されている。
【００２７】
ルーフモール１０は、ルーフ溝９０を覆う頭部１２と、この頭部１２の裏面側からルーフ溝９０の底面９２に向けて突出した脚部１４と、この脚部１４の下端の幅方向側面の少なくとも一方からルーフ溝９０の側壁部９４に向けて突出される突出部１６とが備えられている。
本実施形態では、図２〜図６に示されるように、突出部１６は脚部１４の下端の幅方向両側面に一つずつ形成されている。これらの突出部１６は、幅方向内側に設けられた突出部１６が若干上方に傾斜するように構成され、幅方向外側に設けられた突出部１６が若干下方に傾斜するように構成されている。そして、図３に示されるように、ルーフモール１０をルーフ溝９０に装着した際に、幅方向外側の突出部１６はルーフ溝９０の幅方向外側の側壁部９４に弾性変形を伴いながら当接し、幅方向内側の突出部１６はルーフ溝９０の幅方向内側の側壁部９４に弾性変形を伴いながら当接する。かかる弾性変形に伴う応力によって、ルーフモール１０はルーフ溝９０の所定の位置に係止される。なお、突出部１６は脚部１４の下端の幅方向のいずれか一方の側面にのみ設けられていてもよい。
【００２８】
ここで、脚部１４のうち頭部１２近傍には、典型的には、上記のルーフモール１０を形成するポリマー材料よりも線膨張係数が小さい金属線材等で形成された芯材１５が、ルーフモール１０の長手方向のほぼ全長に亘って埋設されている。この芯材１５によって、ルーフモール１０の長手方向における熱伸縮が防止されると共に、ルーフモール１０に適度な剛性を備えることができる。
【００２９】
そして、幅方向外側に設けられた突出部１６には、本発明において特徴的な受入部１８が設けられている。ここで、ルーフモール１０の長手方向の末端から受入部１８までの部分が、上述の規制部１９である。この受入部１８は、後述するブラケット３０の突出片３８を嵌合させる際の嵌め合わせ受け部として機能する。受入部１８の位置および寸法は、規制部１９の剛性を考慮して、幅方向および長手方向ともに任意に設定することができる。
本実施形態では、図４に示すように、受入部１８は、ルーフモール１０の後方の端部が後述する蓋部材２０のカバー部２２により覆われる長手方向の長さよりも、規制部１９の長手方向の長さが長くなる位置に設けられている。たとえば、受入部１８は、ルーフモール１０の規制部１９が十分な剛性を備え得る位置に設定される。また、受入部１８は、突出部１６の幅方向の先端から脚部１４下端に向かって形成されており、図４中に矢印Ｐで示した方向から見て（以下、矢印Ｐで示す方向から見ることを「Ｐ視」という）凹形状の切欠きとなっている。なお、この受入部１８の長手方向の幅は、例えば、ブラケット３０の突出片３８の厚み（長手方向の寸法）とほぼ同じか、やや大きく設定することができる。この場合、受入部１８は、突出部１６の幅方向外側に解放された形状であるため、ブラケット３０の突出片３８に容易に嵌め合わせることができ、かつ、受入部１８を突出片３８に嵌めることにより、ルーフモール１０の長手方向の位置決めを行うことができる。
【００３０】
以上のようなルーフモール１０は、典型的には、弾性を有するポリマー材料を押出成形することにより一体的に形成されている。かかるポリマー材料としては、例えば、オレフィン系、スチレン系、エステル系、ポリアミド系、塩化ビニル系、ウレタン系等の各種熱可塑性エラストマーや、天然ゴム、エチレン−プロピレン−ジエンゴム（ＥＰＤＭ）等の各種ゴムが例示される。これらのポリマー材料は、いずれか１種を単独で用いてもよいし、２種以上を混合あるいは複合化して用いるようにしてもよい。すなわち、ルーフモール１０の頭部１２、脚部１４および突出部１６は、同じ材料で構成してもよいし、互いに異なる材料で構成してもよい。また、例えば、突出部１６は、全部を同じ材料で構成してもよいし、その一部を異なる材料で構成してもよい。特に限定されるわけではないが、ルーフモール１０の頭部１２と脚部１４の下方と突出部１６とは、例えば、ＪＩＳＫ６２５３によるデュロメータタイプＡでの硬度がＡ７５の弾性ポリマー材料で成形されるのが好ましい。また、脚部１４は、例えば、ＪＩＳＫ６２５３によるデュロメータタイプＡでの硬度がＡ９０の弾性ポリマー材料で成形されるのが好ましい。
【００３１】
蓋部材２０は、ブラケット３０とともに、上述のルーフモール１０の長手方向の端部を挟持して、ルーフモール１０の受入部１８がブラケット３０の突出片３８から外れることを防止するとともに、当該端部を隠して美観を保つために配設される部材である。
この蓋部材２０は、ルーフ溝９０を覆うカバー部２２と、このカバー部２２の裏面側からルーフ溝９０の底面９２に向けて突出し、後述するブラケット３０の係合部３６と係合する係合受部２４とが備えられている。
本実施形態では、図２および図４に示されるように、係合受部２４は蓋部材２０の長手方向の前方側と後方側とに２つ設けられており、各係合受部２４には互いに向かい合うように蓋部材２０の長手方向の中心側に向けて一対の爪２４Ａが形成されている。これらの係合受部２４は、カバー部２２の裏面側でブラケット３０の係合部３６と係合可能な位置に設置される。そしてカバー部２２は、長手方向の端部でルーフモール１０の端部を狭持可能な寸法に設定されている。
【００３２】
以上の蓋部材２０は、ルーフモール１０を形成するポリマー材料よりも剛性を有し、かつ適度な弾性を備え持つ樹脂または金属等の材料により作製することができる。本実施形態では、合成樹脂材料から射出成形によって蓋部材２０を作製している。かかる蓋部材２０を形成するに好適な合成樹脂材料としては、例えば、ポリアセタール樹脂（ＰＯＭ）、ＡＥＳ（Acrylonitrile-Ethylene-Styrene）樹脂等が挙げられる。なお、蓋部材２０は、全体を合成樹脂材料により形成してもよいし、例えば、係合受部２４のみを、弾性を備える金属材料等により形成してもよい。さらに、合成樹脂材料で形成された係合受部２４に、金属製クリップ等の別部材を嵌合して爪２４Ａとしてもよい。
【００３３】
ブラケット３０は、ルーフ溝９０の底面９２に設けられる。このブラケット３０は、基部３２と、この基部３２の長手方向端部においてルーフ溝９０の底面９２から離れる方向に突出された突出片３８とを有している。また、基部３２には、ルーフ溝９０の底面９２に固定される固定部３４と、上記の蓋部材２０と係合される係合部３６とが備えられている。
【００３４】
この実施形態では、図２および図４に示すように、ブラケット３０の基部３２には長手方向の両方の端部に突出片３８が設けられている。また、この突出片３８は、ルーフ溝９０の底面９２に対して略垂直な方向に突出されているため、上述のルーフモール１０の受け入れ部１８を容易に嵌め合わせることができる。
また、ブラケット３０には、かかる突出片３８よりもブラケット３０の長手方向の中心側の２か所に係合部３６が設けられている。これらの係合部３６は、ルーフ溝９０の底面９２から離れる方向に立ち上がるとともに、その立ち上がり部の先端がブラケット３０の長手方向の外側（両端側）に屈曲された形状の係合突起を形成している。なお、この突出片３８と係合部３６とは、突出片３８を係合部３６よりもブラケット３０の長手方向の外側（端部側）に配設するために、幅方向での配置をそれぞれ幅方向外側と内側とにずらして設けられている。
【００３５】
そして、ブラケット３０には、これらの係合部３６よりもさらにブラケット３０の長手方向の中心側の２か所に固定部３４が設けられている。２か所の固定部３４にはそれぞれボルト穴が設けられており、ボルト４２と図示しないナットとの締結によってブラケット３０がルーフ溝９０の底面９２に固定される。なお、かかる固定部３４のルーフ溝９０の底面９２への固定は、ボルト４２等の固定部材による固定に限ることなく、例えば溶接等の他の固定手法により実現されていてもよい。
以上のようなブラケット３０は、典型的には、機械的強度と剛性とを有する金属製の板材を所定の形状に打ち抜いた後、曲げ加工を施すこと等で作製されている。かかる板材としては、鉄板や、各種の機械構造用鋼板等が挙げられる。なお、ブラケット３０は、機械的強度と剛性とを有する樹脂材料やその他の材料により作製するようにしてもよい。
【００３６】
本発明のルーフモールの取付構造体１においては、以上のようなルーフモール１０、蓋部材２０およびブラケット３０が、下記の構成で互いに固定される。
すなわち、まず、ブラケット３０は固定部３４においてルーフ溝９０の底面９２に固定される。次に、ルーフモール１０の受入部１８が、ブラケット３０の突出片３８に嵌合される。そして、蓋部材２０のカバー部２２の長手方向前方の端部でルーフモール１０の頭部１２の長手方向後方の端部を覆った（抑えた）状態で、蓋部材２０の係合受部２４とブラケット３０の係合部３６とが係合される。
かかる構成によると、図４〜図６に示されたように、ルーフモール１０は、長手方向後方の端部においてブラケット３０と蓋部材２０とで挟持された状態で、ルーフ溝９０に装着される。したがって、ルーフモール１０の浮き上がりや、ルーフモール１０のルーフ溝９０に沿った長手方向での移動が防止される。
【００３７】
なお、かかるルーフモールの取付構造体１において、ルーフモール１０の受入部１８とブラケット３０の突出片３８との嵌合部位は、ルーフモール１０の頭部１２に覆われるため、蓋部材２０で隠す必要はない。また、この嵌合部位と、ブラケット３０と蓋部材２０とによるルーフモール１０の挟持位置とは、各々独立して構築されている。したがって、蓋部材２０の長手方向の寸法は、ルーフモール１０の長手方向の端部を抑え得る程度の大きさがあればよい。また、ルーフモール１０は、規制部分１９が所望の剛性を確保し得る位置に受入部１８を配設することができる。したがって、かかる規制部分１９が、車両１００の長期の使用に伴い塑性変形を起こしたり、破損したりするのが防止される。
すなわち、本発明のルーフモールの取付構造体１によると、ルーフモール１０の受入部１８とブラケット３０の突出片３８との嵌合部位に合わせて蓋部材２０を大きくする必要がないため外観を損なうことがなく、また、車両１００の使用状況に因ってルーフモール１０がルーフ溝９０から外れることをより確実に防止することができる。
また、かかるルーフモールの取付構造体１は、ルーフモール１０に複雑な加工を必要としないため、ルーフモール１０の製造コストを抑えることができる。したがって、ルーフモールの取付構造体１は比較的低コストで簡便に実現することができる。
【００３８】
以上のルーフモールの取付構造体１において、ルーフモール１０とブラケット３０との嵌合は様々な態様を考慮することができる。例えば、図６の例では、上述のように、ルーフモール１０の片側（幅方向外側）の突出部１６にのみＰ視で凹形状の受入部１８を設けているが、受入部１８の形状や位置は、任意に設定することができる。
例えば、Ｐ視で凹形状の受入部１８をルーフモール１０の幅方向の両側の突出部１６に設けるようにしてもよい。この場合、ブラケット３０の突出片３８は、当該受入部１８に対応する位置に２つ形成される。
【００３９】
また、例えば、図７に示されるように、受入部１８は、突出部１６に形成された貫通穴１８Ａであってもよい。図７の例では、貫通穴１８Ａは幅方向の両側の突出部１６に設けられており、この場合、ブラケット３０の突出片３８は、当該貫通穴１８Ａ（受入部１８）に対応する位置に２つ形成される。かかる構成によると、受入部１８が幅方向で閉じた形態であるため、受入部１８を突出片３８からより外れ難くすることができる。
【００４０】
さらに、例えば、図８に例示されるように、受入部１８は、脚部１４の下端および幅方向の両側の突出部１６に亘って幅方向に形成された凹部１８Ｂであってよい。図８の例では、凹部１８Ｂは幅方向の全長に亘って設けられているが、幅方向の一部にのみ凹部１８Ｂが設けられていてもよい。より具体的には、例えば、受入部１８は、ルーフモール１０の脚部１４の下端に設けられる凹部１８Ｂであってもよい。この場合、ブラケット３０の突出片３８は、当該凹部１８Ｂ（受入部１８）に対応する幅および高さに形成される。かかる構成によると、ルーフモール１０の頭部１２を受入部１８が貫通していないため、ルーフモールの外観を損ねることなく突出片３８への嵌め合わせを行うことができる。
【００４１】
また、ルーフモールの取付構造体１において、ブラケット３０には上述の固定部３４よりもさらにブラケット３０の長手方向の中心側に、外部部材４４の取付けが可能な取付部４０が設けられていてもよい。かかる取付部４０は、ルーフ溝９０の底面９２から立ち上がる断面略コの字型の凸部により構成されており、図２に示される例では、かかる凸部の突出面には外部部材４４を固定するための固定穴が設けられている。
車両１００のルーフには、従来より、図１に示されるように、車両の購入者の要望に応じて、外部部材としての各種の屋根上部材（典型的には、ルーフキャリア）を設置可能とする仕様がある。そして、この外部部材の取付手法の一つに、ルーフ溝９０に外部部材取付用ブラケットを予め配設しておき、かかる外部部材取付用ブラケットに目的の外部部材を固定するものがある。
そこで、本発明に係るブラケット３０に取付部４０が設けられることで、かかるブラケット３０に外部部材４４の取りつけが可能となる。
このように、本発明のルーフモールの取付構造体１において、外部部材４４の取付けが可能な構成とする場合には、ブラケット３０の係合部３６と蓋部材２０の係合受部２４とは、着脱可能に構成されていることが好ましい。かかる構成は、例えば、蓋部材２０の係合受部２４を高強度で高弾性を有するポリマー材料等で構成することで実現することができる。そして外部部材４４を車両１００に取り付ける際には、蓋部材２０を取り外して露出されるブラケット３０の取付部４０に、所望の外部部材４４を取付ければよい。なお、外部部材４４を取付ける場合は、ルーフモール１０は長手方向の端部において、ブラケット３０と外部部材４４とで挟持された状態でルーフ溝９０に装着される。
【００４２】
以上のルーフモールの取付構造体１は、ブラケット３０が設置可能であれば、ルーフ溝９０のいずれの箇所においても構築することができる。例えば、図１に示されるように、ルーフ溝９０に沿って複数のルーフモール１０Ａ，１０Ｂ，１０Ｃが装着されている場合、これらのうちの少なくとも一つのルーフモール１０の長手方向のいずれかの端部において、ルーフモールの取付構造体１を構築することができる。
より具体的には、例えば、図４に示されるように、一つのブラケット３０と一つの蓋部材２０の長手方向の両方の端部において、かかるルーフモールの取付構造体１が構築されていてもよい。この場合、ブラケット３０は、上述のように、基部３２の長手方向の両方の端部に突出片３８を有し、ブラケット３０の長手方向の前方の突出片３８には第１のルーフモール１０Ａが、後方の側には第２のルーフモール１０Ｂがそれぞれ配置される。ここで、ブラケット３０の長手方向前方の突出片３８に第一のルーフモール１０Ａの受入部１８が嵌合され、長手方向後方の突出片３８に第２のルーフモール１０Ｂの受入部１８が嵌合される。そして、第１のルーフモール１０Ａと第２のルーフモール１０Ｂの隣り合う長手方向の端部が、ブラケット３０の長手方向の両端部と一つの蓋部材２０で挟持されている。
かかる構成によると、隣り合う二つのルーフモールの端部（例えば、第一のルーフモール１０Ａの長手方向後方の端部と第２のルーフモール１０Ｂの長手方向前方の端部）を一つのブラケット３０と一つの蓋部材２０とで挟持しているため、ブラケット３０と蓋部材２０の部品点数を減らすことができ、複数のルーフモール１０の取付けをさらに低コストで実現することができる。
【００４３】
また例えば、ルーフモールの長手方向の両方の端部において、この取付構造体１が形成されていてもよい。より具体的には、例えば、図１に示されるルーフモール１０Ｂの長手方向の前方の端部と、長手方向の後方の端部とに、かかる取付構造体１が形成されていてもよい。これによると、ルーフ溝９０へのルーフモール１０Ｂの取付けをより強固にすることが可能となる。
【００４４】
以上、本発明のルーフモールの取付構造体１を図面を参照しつつ具体的に説明したが、本発明は、かかる構造体１を構築するためのルーフモール１０、蓋部材２０およびブラケット３０の各構成部材をも提供する。また、上記の説明は例示にすぎず、本願発明を図示したものに限定することを意図したものではない。特許請求の範囲に記載の技術には、以上に例示した具体例を様々に変形、変更したものが含まれる。例えば、ブラケット３０には長手方向の両方の端部に突出片３８が形成された例を示したが、突出片３８はいずれか一方（例えば長手方向後方）の端部にのみ形成されていてもよい。また、例えば、ブラケット３０には、２つの固定部３４の間に外部部材４４を取り付ける取付部４０が設けられた例を示したが、取付部４０は必ずしも形成されていなくてもよいし、固定部３４は１つのみ形成されていても良く、かかる構成によりブラケット３０および蓋部材の２０長手方向の寸法を短く設定してもよい。
【符号の説明】
【００４５】
１  ルーフモールの取付構造体
１０，１０Ａ，１０Ｂ，１０Ｃ  ルーフモール
１２  頭部
１４  脚部
１５  芯部
１６  突出部
１８  受入部
１８Ａ  貫通穴
１８Ｂ  凹部
１９  規制部
２０，２０Ｘ，２０Ｙ  蓋部材
２２  カバー部
２４  係合受部
２４Ａ  爪
３０  ブラケット
３２  基部
３４  固定部
３６  係合部
３８，３８Ａ，３８Ｂ  突出片
４０  取付部
４２  ボルト
４４  外部部材
９０  ルーフ溝
９２  底面
９４  側壁部
９６  ルーフパネル
９８  サイドボディパネル
１００  車両
【図１】
2014058214.tif 000003
【図２】
2014058214.tif 000004
【図３】
2014058214.tif 000005
【図４】
2014058214.tif 000006
【図５】
2014058214.tif 000007
【図６】
2014058214.tif 000008
【図７】
2014058214.tif 000009
【図８】
2014058214.tif 000010